(57)【特許請求の範囲】
【請求項１】
インタフェース表示方法であって、
ユーザ操作に応じてインタフェースを表示し、毎回ユーザが操作した後に表示されたインタフェース情報を記録することと、
ジャンプ命令を監視した場合、前記インタフェース情報に基づいて前の表示インタフェースにジャンプすることとを含み、
前記ユーザ操作に応じてインタフェースを表示し、毎回ユーザが操作した後に表示されたインタフェース情報を記録することは、
第一のユーザ操作に応じて第一のインタフェースを表示することと、
ユーザの前記第一のインタフェースに対する第二のユーザ操作を受け付けることと、
第二のユーザ操作に応じて前記第一のインタフェースのサブインタフェースを表示する場合、前記第一のインタフェースのインタフェース位置を含んでいるインタフェース情報を記録することとを含むことを特徴とする、前記方法。
【請求項２】
前記ジャンプ命令を監視した場合、前記インタフェース情報に基づいて前の表示インタフェースにジャンプすることは、
前の表示インタフェースへのジャンプのための第一のジャンプタグを設定することと、
ユーザの前記第一のジャンプタグに対するジャンプ命令を監視した場合、記録されたインタフェース情報から前の表示インタフェースのインタフェース情報を検索することと、
前記前の表示インタフェースのインタフェース情報に基づいて前の表示インタフェースにジャンプすることとを含むことを特徴とする
請求項１に記載の方法。
【請求項３】
ユーザより選択された表示インタフェースへのジャンプのための第二のジャンプタグを設定することと、
ユーザの前記第二のジャンプタグに対するジャンプ命令を監視した場合、記録された少なくとも一つの表示インタフェースのインタフェース情報を表示することと、
ユーザの各インタフェース情報に対する選択命令を受信することと、
ユーザより選択されたインタフェース情報に基づいて対応する表示インタフェースにジャンプすることとをさらに含むことを特徴とする
請求項１に記載の方法。
【請求項４】
前記ユーザ操作に応じてインタフェースを表示し、毎回ユーザが操作した後に表示されたインタフェース情報を記録した後、
第一の表示インタフェースへのジャンプのための第三のジャンプタグを設定することと、
ユーザの前記第三のジャンプタグに対するジャンプ命令を監視した場合、記録されたインタフェース情報から第一の表示インタフェースのインタフェース情報を検索することと、
前記第一の表示インタフェースのインタフェース情報に基づいて第一の表示インタフェースにジャンプすることとをさらに含むことを特徴とする
請求項１に記載の方法。
【請求項５】
インタフェース表示装置であって、
ユーザ操作に応じてインタフェースを表示し、毎回ユーザが操作した後に表示されたインタフェース情報を記録するように構成される記録モジュールと、
ジャンプ命令を監視した場合、前記インタフェース情報に基づいて前の表示インタフェースにジャンプするように構成される第一のジャンプモジュールとを含み、
前記記録モジュールは、
第一のユーザ操作に応じて第一のインタフェースを表示するように構成される第二の表示サブモジュールと、
ユーザの前記第一のインタフェースに対する第二のユーザ操作を受け付けるように構成される受信サブモジュールと、
第二のユーザ操作に応じて前記第一のインタフェースのサブインタフェースを表示する場合、前記第一のインタフェースのインタフェース位置を含んでいるインタフェース情報を記録するように構成される第二の記録サブモジュールとを含むことを特徴とする前記装置。
【請求項６】
前記第一のジャンプモジュールは、
前の表示インタフェースへのジャンプのための第一のジャンプタグを設定するように構成される設定サブモジュールと、
ユーザの前記第一のジャンプタグに対するジャンプ命令を監視した場合、記録されたインタフェース情報から前の表示インタフェースのインタフェース情報を検索するように構成される検索サブモジュールと、
前記前の表示インタフェースのインタフェース情報に基づいて前の表示インタフェースにジャンプするように構成されるジャンプサブモジュールとを含むことを特徴とする
請求項５に記載の装置。
【請求項７】
ユーザより選択された表示インタフェースへのジャンプのための第二のジャンプタグを設定するように構成される第一の設定モジュールと、
ユーザの前記第二のジャンプタグに対するジャンプ命令を監視した場合、記録された少なくとも一つの表示インタフェースのインタフェース情報を表示するように構成される第一の表示サブモジュールと、
ユーザの各インタフェース情報に対する選択命令を受信するように構成される受信モジュールと、
ユーザより選択されたインタフェース情報に基づいて対応する表示インタフェースにジャンプするように構成される第二のジャンプモジュールとをさらに含むことを特徴とする
請求項５に記載の装置。
【請求項８】
第一の表示インタフェースへのジャンプのための第三のジャンプタグを設定するように構成される第二の設定モジュールと、
ユーザの前記第三のジャンプタグに対するジャンプ命令を監視した場合、記録されたインタフェース情報から第一の表示インタフェースのインタフェース情報を検索するように構成される検索モジュールと、
前記第一の表示インタフェースのインタフェース情報に基づいて第一の表示インタフェースにジャンプするように構成される第三のジャンプモジュールとをさらに含むことを特徴とする
請求項５に記載の装置。
【請求項９】
インタフェース表示装置であって、
プロセッサと、
プロセッサで実行可能な命令を記憶するように構成されるメモリとを含み、
前記プロセッサは、
ユーザ操作に応じてインタフェースを表示し、毎回ユーザが操作した後に表示されたインタフェース情報を記録し、
ジャンプ命令を監視した場合、前記インタフェース情報に基づいて前の表示インタフェースにジャンプするように構成され、
前記ユーザ操作に応じてインタフェースを表示し、毎回ユーザが操作した後に表示されたインタフェース情報を記録することは、
第一のユーザ操作に応じて第一のインタフェースを表示することと、
ユーザの前記第一のインタフェースに対する第二のユーザ操作を受け付けることと、
第二のユーザ操作に応じて前記第一のインタフェースのサブインタフェースを表示する場合、前記第一のインタフェースのインタフェース位置を含んでいるインタフェース情報を記録することとを含むことを特徴とする、前記装置。
【発明の詳細な説明】
【技術分野】
【０００１】
本願は、出願番号が２０１５１０４６９０３４．Ｘであり、出願日が２０１５年８月３日である中国特許に基づいて提出され、当該中国特許出願の優先権を主張し、当該中国特許出願の全ての内容が本願において援用される。
【０００２】
本開示は、ネットワーク通信技術分野に関し、特にインタフェース表示方法及び装置に関する。
【背景技術】
【０００３】
ネットワーク通信技術の持続的発展に伴い、ユーザは、端末装置を介して多くの情報、例えばリスト情報を閲覧することができる。ユーザが現在のリスト情報を閲覧する場合、前の関心を持つ閲覧済み情報に戻る必要があるかもしれなく、インタフェース表示を行う必要がある。関連技術において、一般的にリストページにナビゲーションバーがあるが、ナビゲーションバーにおける各タグがユーザの需要に応じて迅速なナビゲーションを実現することができない。ユーザがインタフェース表示を行う必要がある場合、ユーザのみが端末装置を操作してそれぞれの閲覧されたリスト情報に戻って一つずつ検索することができる。これにより、関連技術における端末装置によって提供されたインタフェース表示の効率が低く、ユーザ体験が悪いことが分かる。
【発明の概要】
【発明が解決しようとする課題】
【０００４】
本開示は、従来技術における端末装置によって提供されたインタフェース表示の効率が低く、ユーザ体験が悪い問題を解決するように、インタフェース表示方法及び装置を提供する。
【課題を解決するための手段】
【０００５】
本開示の実施形態の第一の態様による端末装置に応用されるインタフェース表示方法は、
ユーザ操作に応じてインタフェースを表示し、毎回ユーザが操作した後に表示されたインタフェース情報を記録することと、
ジャンプ命令を監視した場合、前記インタフェース情報に基づいて前の表示インタフェースにジャンプすることとを含む。
【０００６】
必要に応じて、前記ユーザ操作に応じてインタフェースを表示し、毎回ユーザが操作した後に表示されたインタフェース情報を記録することは、
ユーザ摺動操作またはユーザクリック操作を含んでいる前記ユーザ操作に応じてインタフェースを表示することと、
前記ユーザが操作した後に表示されたインタフェースの滞在時間を取得することと、
前記滞在時間が予め設定された時間閾値を超えた場合、表示されたインタフェースのインタフェース位置を含んでいるインタフェース情報を記録することとを含む。
【０００７】
必要に応じて、前記ユーザ操作に応じてインタフェースを表示し、毎回ユーザが操作した後に表示されたインタフェース情報を記録することは、
第一のユーザ操作に応じて第一のインタフェースを表示することと、
ユーザの前記第一のインタフェースに対する第二のユーザ操作を受け付けることと、
第二のユーザ操作に応じて前記第一のインタフェースのサブインタフェースを表示する場合、前記第一のインタフェースのインタフェース位置を含んでいるインタフェース情報を記録することとを含む。
【０００８】
必要に応じて、前記ジャンプ命令を監視した場合、前記インタフェース情報に基づいて前の表示インタフェースにジャンプすることは、
前の表示インタフェースへのジャンプのための第一のジャンプタグを設定することと、
ユーザの前記第一のジャンプタグに対するジャンプ命令を監視した場合、記録されたインタフェース情報から前の表示インタフェースのインタフェース情報を検索することと、
前記前の表示インタフェースのインタフェース情報に基づいて前の表示インタフェースにジャンプすることとを含む。
【０００９】
必要に応じて、前記方法は、
ユーザより選択された表示インタフェースへのジャンプのための第二のジャンプタグを設定することと、
ユーザの前記第二のジャンプタグに対するジャンプ命令を監視した場合、記録された少なくとも一つの表示インタフェースのインタフェース情報を表示することと、
ユーザの各インタフェース情報に対する選択命令を受信することと、
ユーザより選択されたインタフェース情報に基づいて対応する表示インタフェースにジャンプすることとをさらに含む。
【００１０】
必要に応じて、前記ユーザ操作に応じてインタフェースを表示し、毎回ユーザが操作した後に表示されたインタフェース情報を記録した後、前記方法は、
第一の表示インタフェースへのジャンプのための第三のジャンプタグを設定することと、
ユーザの前記第三のジャンプタグに対するジャンプ命令を監視した場合、記録されたインタフェース情報から第一の表示インタフェースのインタフェース情報を検索することと、
前記第一の表示インタフェースのインタフェース情報に基づいて第一の表示インタフェースにジャンプすることとをさらに含む。
【００１１】
本開示の実施形態の第二の態様による端末装置に応用されるインタフェース表示装置は、
ユーザ操作に応じてインタフェースを表示し、毎回ユーザが操作した後に表示されたインタフェース情報を記録するように構成される記録モジュールと、
ジャンプ命令を監視した場合、前記インタフェース情報に基づいて前の表示インタフェースにジャンプするように構成される第一のジャンプモジュールとを含む。
【００１２】
必要に応じて、前記記録モジュールは、
ユーザ摺動操作またはユーザクリック操作を含んでいる前記ユーザ操作に応じてインタフェースを表示するように構成される第一の表示サブモジュールと、
前記ユーザが操作した後に表示されたインタフェースの滞在時間を取得するように構成される取得サブモジュールと、
前記滞在時間が予め設定された時間閾値を超えた場合、表示されたインタフェースのインタフェース位置を含んでいるインタフェース情報を記録するように構成される第一の記録サブモジュールとを含む。
【００１３】
必要に応じて、前記記録モジュールは、
第一のユーザ操作に応じて第一のインタフェースを表示するように構成される第二の表示サブモジュールと、
ユーザの前記第一のインタフェースに対する第二のユーザ操作を受け付けるように構成される受信サブモジュールと、
第二のユーザ操作に応じて前記第一のインタフェースのサブインタフェースを表示する場合、前記第一のインタフェースのインタフェース位置を含んでいるインタフェース情報を記録するように構成される第二の記録サブモジュールとを含む。
【００１４】
必要に応じて、前記第一のジャンプモジュールは、
前の表示インタフェースへのジャンプのための第一のジャンプタグを設定するように構成される設定サブモジュールと、
ユーザの前記第一のジャンプタグに対するジャンプ命令を監視した場合、記録されたインタフェース情報から前の表示インタフェースのインタフェース情報を検索するように構成される検索サブモジュールと、
前記前の表示インタフェースのインタフェース情報に基づいて前の表示インタフェースにジャンプするように構成されるジャンプサブモジュールとを含む。
【００１５】
必要に応じて、前記装置は、
ユーザより選択された表示インタフェースへのジャンプのための第二のジャンプタグを設定するように構成される第一の設定モジュールと、
ユーザの前記第二のジャンプタグに対するジャンプ命令を監視した場合、記録された少なくとも一つの表示インタフェースのインタフェース情報を表示するように構成される第一の表示サブモジュールと、
ユーザの各インタフェース情報に対する選択命令を受信するように構成される受信モジュールと、
ユーザより選択されたインタフェース情報に基づいて対応する表示インタフェースにジャンプするように構成される第二のジャンプモジュールとをさらに含む。
【００１６】
必要に応じて、前記装置は、
第一の表示インタフェースへのジャンプのための第三のジャンプタグを設定するように構成される第二の設定モジュールと、
ユーザの前記第三のジャンプタグに対するジャンプ命令を監視した場合、記録されたインタフェース情報から第１の表示インタフェースのインタフェース情報を検索するように構成される検索モジュールと、
前記第一の表示インタフェースのインタフェース情報に基づいて第一の表示インタフェースにジャンプするように構成される第三のジャンプモジュールとをさらに含む。
【００１７】
本開示の実施形態の第三の態様による端末装置に応用されるインタフェース表示装置は、
プロセッサと、
プロセッサで実行可能な命令を記憶するように構成されるメモリとを含み、
ここで、前記プロセッサは、
ユーザ操作に応じてインタフェースを表示し、毎回ユーザが操作した後に表示されたインタフェース情報を記録し、
ジャンプ命令を監視した場合、前記インタフェース情報に基づいて前の表示インタフェースにジャンプするように構成される。
【発明の効果】
【００１８】
本開示の実施形態による技術的解決手段は、以下の有益な効果を含むことができる。
【００１９】
本開示の実施形態によれば、端末装置がユーザ操作に応じてインタフェースを表示し、毎回ユーザが操作した後に表示されたインタフェース情報を記録することができ、ジャンプ命令を監視した場合、記録された毎回ユーザが操作した後に表示されたインタフェース情報に基づいて前の表示インタフェースにジャンプし、これにより端末装置がユーザの需要に応じて迅速に前の表示インタフェースにジャンプすることができ、操作が簡単で、便利であり、ユーザ体験を向上させる。
【００２０】
本開示の実施形態によれば、端末装置がユーザが操作した後に表示されたインタフェースの滞在時間を取得することができ、表示インタフェースの滞在時間が予め設定された時間閾値を超えた場合、当該表示インタフェースのインタフェース情報を記録し、これにより端末装置がユーザが関心を持つ表示インタフェースのインタフェース情報のみを記録する必要があり、それによって端末の記憶リソースを節約し、さらにインタフェース表示の効率を向上させる。
【００２１】
本開示の実施形態によれば、端末装置が第一のユーザ操作に応じて第一のインタフェースを表示し、ユーザの第一のインタフェースに対する第二のユーザ操作を受付けることができ、第二のユーザ操作に応じて第一のインタフェースのサブインタフェースを表示する場合、第一のインタフェースのインタフェース情報を記録し、これにより端末装置がユーザが関心を持つ表示インタフェースのインタフェース情報を記録でき、ユーザ体験を向上させる。
【００２２】
本開示の実施形態によれば、端末装置が第一のジャンプタグを設定し、ユーザのジャンプ命令に応じて迅速に前の表示インタフェースにジャンプすることができ、インタフェース表示の効率を向上させる。
【００２３】
本開示の実施形態によれば、端末装置が第二のジャンプタグを設定し、ユーザのジャンプ命令に応じて迅速にユーザより選択された表示インタフェースにジャンプすることができ、ユーザ体験を向上させる。
【００２４】
本開示の実施形態によれば、端末装置が第三のジャンプタグを設定し、ユーザのジャンプ命令に応じて迅速に第一の表示インタフェースにジャンプすることができ、ユーザ体験を向上させる。
【００２５】
以上の一般的な説明と後の詳細な説明は、例示的および解釈的なものだけであるが、本開示の実施形態を制限できないと理解すべきである。
【図面の簡単な説明】
【００２６】
【図１】本開示が一つの例示的な実施形態に基づいて示すインタフェース表示方法のフローチャートである。
【図２】本開示が一つの例示的な実施形態に基づいて示す別のインタフェース表示方法のフローチャートである。
【図３】本開示が一つの例示的な実施形態に基づいて示す別のインタフェース表示方法のフローチャートである。
【図４】本開示が一つの例示的な実施形態に基づいて示す別のインタフェース表示方法のフローチャートである。
【図５】本開示が一つの例示的な実施形態に基づいて示す別のインタフェース表示方法のフローチャートである。
【図６】本開示が一つの例示的な実施形態に基づいて示す別のインタフェース表示方法のフローチャートである。
【図７】本開示が一つの例示的な実施形態に基づいて示すインタフェース表示方法の応用シーン図である。
【図８】本開示が一つの例示的な実施形態に基づいて示すインタフェース表示装置のブロック図である。
【図９】本開示が一つの例示的な実施形態に基づいて示す別のインタフェース表示装置のブロック図である。
【図１０】本開示が一つの例示的な実施形態に基づいて示す別のインタフェース表示装置のブロック図である。
【図１１】本開示が一つの例示的な実施形態に基づいて示す別のインタフェース表示装置のブロック図である。
【図１２】本開示が一つの例示的な実施形態に基づいて示す別のインタフェース表示装置のブロック図である。
【図１３】本開示が一つの例示的な実施形態に基づいて示す別のインタフェース表示装置のブロック図である。
【図１４】本開示が一つの例示的な実施形態に基づいて示すインタフェース表示装置のための構造図である。
【発明を実施するための形態】
【００２７】
ここの図面が明細書に組み込まれて本明細書の一部を構成し、本開示に合致する実施形態を示し、そして明細書と共に本開示の実施形態の原理を解釈することに用いられると理解すべきである。
【００２８】
ここで例示的な実施形態を詳細に説明し、その例が図面に示される。以下の説明が図面に関係する場合、特に明記しない限り、異なる図面における同じ数字が同じまたは類似の要素を表す。以下の例示的な実施形態に記載される実施形態は、本開示の実施形態に合致するすべての実施形態を代表しない。逆に、それらは、添付の特許請求の範囲に詳しく記載されるような、本開示の実施形態のいくつかの方面に合致する装置と方法の例だけである。
【００２９】
本開示の実施形態に用いられる用語が特定の実施形態を説明するためのものだけであるが、本開示の実施形態を制限するためのものではない。本開示の実施形態と添付の特許請求の範囲に用いられる単数形態の「一種類」、「前記」と「当該」は、文脈に明確に他の意味を表しない限り、多数形態を含むことを意図する。また、本明細書に用いられる用語「および／または」は、１つ以上の関連付けて列挙された項目であり且つ１つ以上の関連付けて列挙された項目のいかなるまたはすべての可能な組み合わせを含むことを意味していると理解すべきである。
【００３０】
本開示の実施形態に用語第一、第二、第三などを用いて様々な情報を説明する可能性があるにも関わらず、これらの情報がこれらの用語に限られるべきではないと理解すべきである。これらの用語は、同じタイプの情報を互いに区分するためのものだけである。例えば、本開示の実施形態の範囲から逸脱しない場合で、第一の情報が第二の情報と呼ばれてもよく、同様に、第二の情報が第一の情報と呼ばれてもよい。言語環境に依存し、例えばここに用いられる「もし」は、「……時に」または「……場合」または「確定に応答する」と解釈されることができる。
【００３１】
図１に示すように、図１は本開示が一つの例示的な実施形態に基づいて示すインタフェース表示方法のフローチャーである。当該方法は、端末装置に用いられることができ、ここで、端末装置が様々なスマートフォン、タブレット型コンピュータ、ＰＣ（Ｐｅｒｓｏｎａｌ  Ｃｏｍｐｕｔｅｒ：パーソナルコンピュータ）などを含むことができる。
【００３２】
当該方法は、以下のステップを含む。
【００３３】
ステップ１１０において、ユーザ操作に応じて、インタフェースを表示し、毎回ユーザが操作した後に表示されたインタフェース情報を記録する。
【００３４】
本開示の実施形態において、端末装置は、ユーザに多くの閲覧可能情報、例えばアドレス帳、ショートメッセージまたはニュースなどを提供することができる。ユーザがこれらの情報を閲覧する場合、端末装置は、ユーザ操作に応じてインタフェースを表示し、毎回ユーザが操作した後に表示されたインタフェースを記録し、ユーザが閲覧した表示インタフェースに戻る要求を満たすのに用いる。ここで、ユーザ操作は、ユーザ摺動操作であるかもしれなく、ユーザクリック操作でもあるかもしれない。
【００３５】
例えば、ユーザが端末装置を介して１つのリスト情報を閲覧する場合、端末装置は、ユーザが毎回滞在する位置を記録し、ユーザが前の滞在した位置にジャンプする必要がある場合、端末装置は、迅速に位置決めを行って前の滞在した位置にジャンプすることができる。
【００３６】
ステップ１２０において、ジャンプ命令を監視した場合、記録された毎回ユーザが操作した後に表示されたインタフェース情報に基づいて前の表示インタフェースにジャンプする。
【００３７】
本開示の実施形態において、端末装置は、記録すべきインタフェース情報をデータスタックに保存することができ、ジャンプ命令を監視した場合、端末装置は、データスタックから前の表示インタフェースのインタフェース情報、例えばインタフェース位置を抽出し、当該インタフェース位置に基づいて前の表示インタフェースにジャンプすることができる。
【００３８】
上記の実施形態から分かるように、端末装置は、ユーザ操作に応じてインタフェースを表示し、毎回ユーザが操作した後に表示されたインタフェース情報を記録し、ジャンプ命令を監視した場合、記録された毎回ユーザが操作した後に表示されたインタフェース情報に基づいて前の表示インタフェースにジャンプし、これにより端末装置は、ユーザの需要に応じて迅速に前の表示インタフェースにジャンプすることができ、操作が簡単で、便利であり、ユーザ体験を向上させる。
【００３９】
図２に示すように、図２は本開示が一つの例示的な実施形態に基づいて示す別のインタフェース表示方法のフローチャートである。当該方法は、端末装置に用いられることができ、ステップ１１０を実行する中でユーザ操作に応じてインタフェースを表示し、毎回ユーザが操作した後に表示されたインタフェース情報を記録する場合、以下のステップを含むことができる。
【００４０】
ステップ２１０において、ユーザ操作に応じてインタフェースを表示し、当該ユーザ操作がユーザ摺動操作またはユーザクリック操作を含む。
【００４１】
本開示の実施形態において、端末装置は、ユーザ操作を監視した後に、ユーザ操作に応じてインタフェースを表示する。
【００４２】
例えば、ユーザは、端末装置を介して１つのアドレス帳を閲覧する場合、摺動操作でアドレス帳を閲覧するかもしれない。
【００４３】
また、例えば、ユーザは、端末装置を介して１つのニュースリストを閲覧する場合、クリック操作で１つのニュースの詳細な情報を閲覧するかもしれない。
【００４４】
ステップ２２０において、ユーザが操作した後に表示されたインタフェースの滞在時間を取得する。
【００４５】
本開示の実施形態において、端末装置は、ユーザ操作に応じてインタフェースを表示した後に、ユーザが当該表示インタフェースの内容に関心を持つと、長い時間滞在するかもしれなく、ユーザが当該表示インタフェースの内容に関心を持たないと、短い時間滞在するかもしれない。この場合、端末装置は、当該滞在時間を記録し、当該滞在時間に基づいて当該表示インタフェースのインタフェース情報を記録するかどうかを判定する。
【００４６】
ステップ２３０において、表示インタフェースの滞在時間が予め設定された時間閾値を超えた場合、当該表示インタフェースのインタフェース情報を記録し、当該インタフェース情報がインタフェース位置を含むことができる。
【００４７】
本開示の実施形態において、予め設定された時間閾値は、端末装置が実際の需要に応じて設定した閾値であり、ユーザの関心度を分けることに用いられ、表示インタフェースの滞在時間が予め設定された時間閾値より大きい場合、当該ユーザが表示インタフェースの内容に関心を持つことを示すかもしれなく、表示インタフェースの滞在時間が予め設定された時間閾値より小さい場合、ユーザが当該表示インタフェースの内容に関心を持たないことを示すかもしれない。
【００４８】
上記の実施形態から分かるように、端末装置は、ユーザが操作した後に表示されたインタフェースの滞在時間を取得し、表示インタフェースの滞在時間が予め設定された時間閾値を超えた場合、当該表示インタフェースのインタフェース情報を記録し、これにより端末装置は、ユーザが関心を持つ表示インタフェースのインタフェース情報のみを記録する必要があり、それによって端末の記憶リソースを節約し、さらにインタフェース表示の効率を向上させる。
【００４９】
図３に示すように、図３は本開示が一つの例示的な実施形態に基づいて示す別のインタフェース表示方法のフローチャートである。当該方法は、端末装置に用いられることができ、ステップ１１０を実行する中でユーザ操作に応じてインタフェースを表示し、毎回ユーザが操作した後に表示されたインタフェース情報を記録する場合、以下のステップを含むことができる。
【００５０】
ステップ３１０において、第一のユーザ操作に応じて第一のインタフェースを表示する。
【００５１】
本開示の実施形態において、第一のユーザ操作は、ユーザ摺動操作であってよく、ユーザクリック操作であってもよい。
【００５２】
ステップ３２０において、ユーザの第一のインタフェースに対する第二のユーザ操作を受け付ける。
【００５３】
本開示の実施形態において、ユーザがある情報の詳細な内容を閲覧する必要がある場合、当該情報のある表示インタフェースをクリックするかもしれなく、これにより端末装置は、当該表示インタフェースのサブインタフェースを表示し、当該情報の詳細な内容をユーザに表示する。
【００５４】
ステップ３３０において、第二のユーザ操作に応じて第一のインタフェースのサブインタフェースを表示する場合、第一のインタフェースのインタフェース情報を記録し、当該インタフェース情報が前記第一のインタフェースのインタフェース位置を含む。
【００５５】
本開示の実施形態において、端末装置が第一のインタフェースのサブインタフェースを表示する場合、ユーザが第一のインタフェースに関心を持つことを示し、そのため第一のインタフェースのインタフェース情報を記録し、その後のユーザが検索する時に迅速にジャンプするために便利を与える。
【００５６】
上記の実施形態から分かるように、端末装置は、第一のユーザ操作に応じて第一のインタフェースを表示し、ユーザの第一のインタフェースに対する第二のユーザ操作を受け付け、第二のユーザ操作に応じて第一のインタフェースのサブインタフェースを表示する場合、第一のインタフェースのインタフェース情報を記録し、これにより端末装置は、ユーザが関心を持つ表示インタフェースのインタフェース情報を記録でき、ユーザ体験を向上させる。
【００５７】
図４に示すように、図４は本開示が一つの例示的な実施形態に基づいて示す別のインタフェース表示方法のフローチャートである。当該方法は、端末装置に用いられることができ、そして図１に示す方法に基づいて確立され、当該方法は、さらに以下のステップを含むことができる。
【００５８】
ステップ４１０において、第一のジャンプタグを設定し、第一のジャンプタグが前の表示インタフェースへのジャンプに用いられる。
【００５９】
本開示の実施形態において、第一のジャンプタグは、従来のタグであってよく、そして当該タグにタグジャンプ機能を組み込み、新規なタグであってもよく、専門的にインタフェースジャンプに用いられる。
【００６０】
ステップ４２０において、ユーザの第一のジャンプタグに対するジャンプ命令を監視した場合、記録されたインタフェース情報から前の表示インタフェースのインタフェース情報を検索する。
【００６１】
本開示の実施形態において、端末装置は、記録すべきインタフェース情報をデータスタックに保存することができ、ユーザの第一のジャンプタグに対するジャンプ命令を監視した場合、データスタックから前の表示インタフェースのインタフェース情報のみを抽出する必要があり、当該インタフェース情報に基づいて前の表示インタフェースにジャンプする。
【００６２】
ここで、データスタックに記録されたインタフェース情報は、複数の表示インタフェースのインタフェース情報を含むことができる。
【００６３】
ステップ４３０において、前の表示インタフェースのインタフェース情報に基づいて前の表示インタフェースにジャンプする。
【００６４】
上記の実施形態から分かるように、端末装置は、第一のジャンプタグを設定し、ユーザのジャンプ命令に応じて迅速に前の表示インタフェースにジャンプすることができ、インタフェース表示の効率を向上させる。
【００６５】
図５に示すように、図５は本開示が一つの例示的な実施形態に基づいて示す別のインタフェース表示方法のフローチャートである。当該方法は、端末装置に用いられることができ、そして図１に示す方法に基づいて確立され、当該方法は、さらに以下のステップを含むことができる。
【００６６】
ステップ５１０において、第二のジャンプタグを設定し、第二のジャンプタグがユーザより選択された表示インタフェースへのジャンプに用いられる。
【００６７】
本開示の実施形態において、第二のジャンプタグは、従来のタグであってよく、そして当該タグにジャンプ機能を組み込み、新規なタグであってもよく、専門的にインタフェースジャンプに用いられる。
【００６８】
ステップ５２０において、ユーザの第二のジャンプタグに対するジャンプ命令を監視した場合、記録された少なくとも一つの表示インタフェースのインタフェース情報を表示する。
【００６９】
本開示の実施形態において、端末装置は、記録すべきインタフェース情報をデータスタックに保存することができ、ユーザの第二のジャンプタグに対するジャンプ命令を監視した場合、データスタックに保存されたすべてのインタフェース情報をユーザに表示し、ユーザが選択するために用いる。
【００７０】
ステップ５３０において、ユーザの各インタフェース情報に対する選択命令を受信する。
【００７１】
本開示の実施形態において、ユーザは、端末装置により記録された各表示インタフェースのインタフェース情報に基づいて、いずれかの表示インタフェースを選択してジャンプすることができる。
【００７２】
ステップ５４０において、ユーザより選択されたインタフェース情報に基づいて対応する表示インタフェースにジャンプする。
【００７３】
上記の実施形態から分かるように、端末装置は、第二のジャンプタグを設定し、ユーザのジャンプ命令に応じて迅速にユーザより選択された表示インタフェースにジャンプすることができ、ユーザ体験を向上させる。
【００７４】
図６に示すように、図６は本開示が一つの例示的な実施形態に基づいて示す別のインタフェース表示方法のフローチャートである。当該方法は、端末装置に用いられることができ、そして図１に示す方法に基づいて確立され、当該方法は、さらに以下のステップを含むことができる。
【００７５】
ステップ６１０において、第三のジャンプタグを設定し、当該第三のジャンプタグが第一の表示インタフェースへのジャンプに用いられる。
【００７６】
本開示の実施形態において、第三のジャンプタグは、従来のタグであってよく、そして当該タグにジャンプ機能を組み込み、新規なタグであってもよく、専門的にインタフェースジャンプに用いられる。
【００７７】
ステップ６２０において、ユーザの第三のジャンプタグに対するジャンプ命令を監視した場合、記録されたインタフェース情報から第一の表示インタフェースのインタフェース情報を検索する。
【００７８】
本開示の実施形態において、端末装置は、記録すべきインタフェース情報をデータスタックに保存することができ、ユーザの第三のジャンプタグに対するジャンプ命令を監視した場合、データスタックから第一の表示インタフェースのインタフェース情報を抽出する必要がある。
【００７９】
ステップ６３０において、前記第一の表示インタフェースのインタフェース情報に基づいて第一の表示インタフェースにジャンプする。
【００８０】
上記の実施形態から分かるように、端末装置は、第三のジャンプタグを設定し、ユーザのジャンプ命令に応じて迅速に第一の表示インタフェースにジャンプすることができ、ユーザ体験を向上させる。
【００８１】
図７に示すように、図７は本開示が一つの例示的な実施形態に基づいて示すインタフェース表示方法の応用シーン図である。当該応用シーンは、ユーザと端末装置を含む。
【００８２】
端末装置は、ユーザ操作に応じてインタフェースを表示し、毎回ユーザが操作した後に表示されたインタフェース情報を記録する。
【００８３】
ジャンプ命令を監視した場合、端末装置は、記録されたインタフェース情報に基づいて前の表示インタフェースにジャンプする。
【００８４】
ここで、記録されたインタフェース情報は、データスタックに保存されることができる。当該データスタックにおけるインタフェース情報は、先入れ後出（Ｆｉｒｓｔ−Ｉｎ／Ｌａｓｔ−Ｏｕｔ）のルールに準拠する。
【００８５】
ユーザ端末は、第一のジャンプタグを設定でき、当該第一のジャンプタグが前の表示インタフェースへのジャンプに用いられ、ユーザの第一のジャンプタグに対するジャンプ命令を監視した場合、記録されたインタフェース情報から前の表示インタフェースのインタフェース情報を検索し、前の表示インタフェースのインタフェース情報に基づいて前の表示インタフェースにジャンプする。
【００８６】
例えば、データスタックにおけるインタフェース情報、例えば、各インタフェースの位置データは、[２０ｐｘ，５０ｐｘ，６０ｐｘ]を含み、ユーザが第一のジャンプタグを一回クリックすると、[２０ｐｘ，５０ｐｘ，６０ｐｘ]から６０ｐｘという位置データを読み出し、そして６０ｐｘのある表示インタフェースにジャンプし、この場合、データスタックにおける位置データは、[２０ｐｘ，５０ｐｘ]を含み、ユーザが第一のジャンプタグを再度クリックすると、[２０ｐｘ，５０ｐｘ]から５０ｐｘという位置データを読み出し、５０ｐｘのある表示インタフェースにジャンプし、この場合、データスタックにおける位置データは、[２０ｐｘ]を含む。ここで、ｐｘが単位であり、画素を代表する。
【００８７】
ユーザ端末は、さらに第二のジャンプタグを設定でき、当該第二のジャンプタグがユーザより選択された表示インタフェースへのジャンプに用いられ、ユーザの第二のジャンプタグに対するジャンプ命令を監視した場合、記録された少なくとも一つの表示インタフェースのインタフェース情報を表示し、ユーザの各インタフェース情報に対する選択命令を受信し、ユーザより選択されたインタフェース情報に基づいて対応する表示インタフェースにジャンプする。
【００８８】
例えば、データスタックにおけるインタフェース情報、例えば、各インタフェースの位置データは、[２０ｐｘ，５０ｐｘ，６０ｐｘ]を含み、ユーザが第二のジャンプタグを一回クリックまたはダブルクリックすると、[２０ｐｘ，５０ｐｘ，６０ｐｘ]という３つの位置データを読み出し、ユーザが選択するために用いる。ユーザが５０ｐｘという位置を選択すると、５０ｐｘのある表示インタフェースにジャンプする。
【００８９】
ユーザ端末は、さらに第三のジャンプタグを設定でき、当該第三のジャンプタグが第一の表示インタフェースへのジャンプに用いられ、ユーザの第三のジャンプタグに対するジャンプ命令を監視した場合、記録されたインタフェース情報から第一の表示インタフェースのインタフェース情報を検索し、前記第一の表示インタフェースのインタフェース情報に基づいて第一の表示インタフェースにジャンプする。
【００９０】
例えば、データスタックにおけるインタフェース情報、例えば、各インタフェースの位置データは、[２０ｐｘ，５０ｐｘ，６０ｐｘ]を含み、ユーザが第三のジャンプタグを一回クリックまたはダブルクリックすると、データスタックから２０ｐｘという位置データを読み出し、２０ｐｘのある表示インタフェースにジャンプする。
【００９１】
上述した表示方法の実施形態に対応して、本開示は、さらにインタフェース表示装置の実施形態を提供する。
【００９２】
図８に示すように、図８は本開示が一つの例示的な実施形態に基づいて示すインタフェース表示装置のブロック図である。前記装置は、端末装置に応用され、そして図１に示すインタフェース表示方法の実行に用いられることができ、前記装置は、記録モジュール８１と第一のジャンプモジュール８２を含む。
【００９３】
ここで、記録モジュール８１は、ユーザ操作に応じてインタフェースを表示し、毎回ユーザが操作した後に表示されたインタフェース情報を記録するように構成される。
【００９４】
第一のジャンプモジュール８２は、ジャンプ命令を監視した場合、前記インタフェース情報に基づいて前の表示インタフェースにジャンプするように構成される。
【００９５】
上記の実施形態から分かるように、ユーザ操作に応じてインタフェースを表示し、毎回ユーザが操作した後に表示されたインタフェース情報を記録することができ、ジャンプ命令を監視した場合、記録された毎回ユーザが操作した後に表示されたインタフェース情報に基づいて前の表示インタフェースにジャンプし、これにより端末装置は、ユーザの需要に応じて迅速に前の表示インタフェースにジャンプすることができ、操作が簡単で、便利であり、ユーザ体験を向上させる。
【００９６】
図９に示すように、図９は本開示が一つの例示的な実施形態に基づいて示す別のインタフェース表示装置のブロック図である。前記装置は、端末装置に応用され、そして図８に示す装置に基づいて構築され、前記記録モジュールが第一の表示サブモジュール９１、取得サブモジュール９２と第一の記録サブモジュール９３を含む。
【００９７】
ここで、第一の表示サブモジュール９１は、前記ユーザ操作に応じてインタフェースを表示するように構成され、前記ユーザ操作がユーザ摺動操作またはユーザクリック操作を含む。
【００９８】
取得サブモジュール９２は、前記ユーザが操作した後に表示されたインタフェースの滞在時間を取得するように構成される。
【００９９】
第一の記録サブモジュール９３は、前記滞在時間が予め設定された時間閾値を超えた場合、表示されたインタフェースのインタフェース情報を記録するように構成され、前記インタフェース情報がインタフェース位置を含む。
【０１００】
上記の実施形態から分かるように、ユーザが操作した後に表示されたインタフェースの滞在時間を取得することができ、表示インタフェースの滞在時間が予め設定された時間閾値を超えた場合、当該表示インタフェースのインタフェース情報を記録し、これにより端末装置は、ユーザが関心を持つ表示インタフェースのインタフェース情報のみを記録する必要があり、それによって端末の記憶リソースを節約し、さらにインタフェース表示の効率を向上させる。
【０１０１】
図１０に示すように、図１０は本開示が一つの例示的な実施形態に基づいて示す別のインタフェース表示装置のブロック図である。前記装置は、端末装置に応用され、図８に示す装置に基づいて構築され、前記記録モジュールが第二の表示サブモジュール１０１、受信サブモジュール１０２と第二の記録サブモジュール１０３を含む。
【０１０２】
ここで、第二の表示サブモジュール１０１は、第一のユーザ操作に応じて第一のインタフェースを表示するように構成される。
【０１０３】
受信サブモジュール１０２は、ユーザの前記第一のインタフェースに対する第二のユーザ操作を受け付けるように構成される。
【０１０４】
第二の記録モジュール１０３は、第二のユーザ操作に応じて前記第一のインタフェースのサブインタフェースを表示する場合、前記第一のインタフェースのインタフェース情報を記録するように構成され、前記インタフェース情報が前記第一のインタフェースのインタフェース位置を含む。
【０１０５】
上記の実施形態から分かるように、記録すべきインタフェース情報をデータスタックに保存することができ、ユーザの第一のジャンプタグに対するジャンプ命令を監視した場合、データスタックから前の表示インタフェースのインタフェース情報のみを抽出する必要があり、当該インタフェース情報に基づいて前の表示インタフェースにジャンプする。
【０１０６】
図１１に示すように、図１１は本開示が一つの例示的な実施形態に基づいて示す別のインタフェース表示装置のブロック図である。前記装置は、端末装置に応用され、そして図８に示す装置に基づいて構築され、前記第一のジャンプモジュールが設定サブモジュール１１１、検索サブモジュール１１２とジャンプサブモジュール１１３を含む。
【０１０７】
ここで、設定サブモジュール１１１は、第一のジャンプタグを設定すうように構成され、前記第一のジャンプタグが前の表示インタフェースへのジャンプに用いられる。
【０１０８】
検索サブモジュール１１２は、ユーザの前記第一のジャンプタグに対するジャンプ命令を監視した場合、記録されたインタフェース情報から前の表示インタフェースのインタフェース情報を検索するように構成される。
【０１０９】
ジャンプサブモジュール１１３は、前記前の表示インタフェースのインタフェース情報に基づいて前の表示インタフェースにジャンプするように構成される。
【０１１０】
上記の実施形態から分かるように、第一のジャンプタグを設定し、ユーザのジャンプ命令に応じて迅速に前の表示インタフェースにジャンプすることができ、インタフェース表示の効率を向上させる。
【０１１１】
図１２に示すように、図１２は本開示が一つの例示的な実施形態に基づいて示す別のインタフェース表示装置のブロック図である。前記装置は、端末装置に応用され、そして図８に示す装置に基づいて構築され、前記装置は、第一の設定モジュール１２１、第一の表示サブモジュール１２２、受信モジュール１２３と第二のジャンプモジュール１２４をさらに含む。
【０１１２】
ここで、第一の設定モジュール１２１は、第二のジャンプタグを設定するように構成され、前記第二のジャンプタグがユーザより選択された表示インタフェースへのジャンプに用いられる。
【０１１３】
第一の表示サブモジュール１２２は、ユーザの前記第二のジャンプタグに対するジャンプ命令を監視した場合、記録された少なくとも一つの表示インタフェースのインタフェース情報を表示するように構成される。
【０１１４】
受信モジュール１２３は、ユーザの各インタフェース情報に対する選択命令を受信するように構成される。
【０１１５】
第二のジャンプモジュール１２４は、ユーザより選択されたインタフェース情報に基づいて対応する表示インタフェースにジャンプするように構成される。
【０１１６】
上記の実施形態から分かるように、第二のジャンプタグを設定し、ユーザのジャンプ命令に応じて迅速にユーザより選択された表示インタフェースにジャンプすることができ、ユーザ体験を向上させる。
【０１１７】
図１３に示すように、図１３は本開示が一つの例示的な実施形態に基づいて示す別のインタフェース表示装置のブロック図である。前記装置は、端末装置に応用され、そして図８に示す装置に基づいて構築され、前記装置は、第二の設定モジュール１３１、検索モジュール１３２と第三のジャンプモジュール１３３をさらに含む。
【０１１８】
ここで、第二の設定モジュール１３１は、第三のジャンプタグを設定するように構成され、前記第三のジャンプタグが第一の表示インタフェースへのジャンプに用いられる。
【０１１９】
検索モジュール１３２は、ユーザの前記第三のジャンプタグに対するジャンプ命令を監視した場合、記録されたインタフェース情報から第一の表示インタフェースのインタフェース情報を検索するように構成される。
【０１２０】
第三のジャンプモジュール１３３は、前記第一の表示インタフェースのインタフェース情報に基づいて第一の表示インタフェースにジャンプするように構成される。
【０１２１】
上記の実施形態から分かるように、第三のジャンプタグを設定し、ユーザのジャンプ命令に応じて迅速に第一の表示インタフェースにジャンプすることができ、ユーザ体験を向上させる。
【０１２２】
図７に対応して、本開示の実施形態は、さらに別のインタフェース表示装置を提供し、前記装置が端末装置に応用され、
プロセッサと、
プロセッサで実行可能な命令を記憶するように構成されるメモリとを含み、
ここで、前記プロセッサが、
ユーザ操作に応じて、毎回ユーザが操作した後に表示されたインタフェース情報を記録し、
ジャンプ命令を監視した場合、前記インタフェース情報に基づいて前の表示インタフェースにジャンプするように構成される。
【０１２３】
前記装置における各ユニットの機能と作用の実現過程について、具体的に前記方法における対応するステップの実現過程を参照してください、ここで説明を省略する。
【０１２４】
装置の実施形態について、それが基本的に方法の実施形態に対応するので、関連する点が方法の実施形態の一部の説明を参照すればよい。上述した装置の実施形態は、ただ例示的なものだけであり、その中に分離部品として説明されるユニットが物理的に分離するものであってよく、または物理的に分離するものではなくてもよく、ユニットとして表示される部品が物理ユニットであってよく、または物理ユニットではなくてもよく、即ち１箇所に位置することができ、または複数のネットワークユニットに分布することもできる。実際の需要に応じてここでの一部またはすべてのモジュールを選択して本開示の解決手段の目的を達成することができる。本分野の当業者は、創造的な労働をしない場合でも、理解して実施することができる。
【０１２５】
図１４に示すように、図１４は本開示が一つの例示的な実施形態に基づいて示すインタフェース表示装置１４００のための構造図（端末装置側）である。例えば、装置１４００は、ルーティング機能を備える携帯電話、コンピュータ、デジタル放送端末、メッセージ送受信端末、ゲーム機、タブレットデバイス、医療機器、フィットネス機器、パーソナルデジタルアシスタントなどであってよい。
【０１２６】
図１４を参照して、装置１４００は、処理部品１４０２、メモリ１４０４、電源部品１４０６、マルチメディア部品１４０８、オーディオ部品１４１０、入力／出力（Ｉ／Ｏ）インターフェース１４１２、センサ部品１４１４、および通信部品１４１６のうちの一つまたは複数の部品を含むことができる。
【０１２７】
処理部品１４０２は、通常、装置１４００の全体操作、例えば表示、電話コール、データ通信、カメラ操作と記録操作に関連する操作を制御する。処理部品１４０２は、１つまたは複数のプロセッサ１４２０を含んで命令を実行して、上記の方法のすべてまたは一部のステップを完了することができる。また、処理部品１４０２は、１つまたは複数のモジュールを含んで、処理部品１４０２と他の部品のインタラクションに便利を与えることができる。例えば、処理部品１４０２は、マルチメディアモジュールを含んで、マルチメディアモジュール１４０８と処理部品１４０２とのインタラクションのために便利を与える。
【０１２８】
メモリ１４０４は、様々なタイプのデータを記憶して装置１４００での操作をサポートするように構成される。これらのデータの例は、装置１４００に操作するためのいかなるアプリケーションプログラムまたは方法の命令、連絡先データ、電話帳データ、メッセージ、ピクチャー、ビデオなどを含む。メモリ１４０４は、いかなるタイプの揮発性または不揮発性記憶装置またはそれらの組み合わせによって実現されることができ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスクまたは光ディスクである。
【０１２９】
電源部品１４０６は、装置１４００の様々な部品に電力を提供する。電源部品１４０６は、電源管理システム、１つまたは複数の電源、および他の、装置１４００のために電力を生成し、管理して割り当てることに関連する部品を含むことができる。
【０１３０】
マルチメディア部品１４０８は、前記装置１４００とユーザの間に１つの出力インタフェースを提供するスクリーンを含む。いくつかの実施形態において、スクリーンは、液晶ディスプレイ（ＬＣＤ）とタッチパネル（ＴＰ）を含むことができる。スクリーンがタッチパネルを含むと、スクリーンは、タッチスクリーンとして実現され、ユーザからの入力信号を受信することができる。タッチパネルは、１つまたは複数のタッチセンサを含んでタッチ、摺動とタッチパネルでの手振りをセンシングする。前記タッチセンサは、タッチまたは摺動操作の境界をセンシングするだけでなく、前記タッチまたは摺動操作に関連する持続時間と圧力を検出することができる。いくつかの実施形態において、マルチメディア部品１４０８は、１つのフロントカメラおよび／またはリアカメラを含む。装置１４００が操作モード、例えば撮影モードまたはビデオモードにある場合、フロントカメラおよび／またはリアカメラは、外部のマルチメディアデータを受信する。各フロントカメラおよび／またはリアカメラは、固定された光学レンズシステムであってよいまたはフォーカスと光学ズーム機能を備える。
【０１３１】
オーディオ１４１０は、オーディオ信号を出力および／または入力するように構成される。例えば、オーディオ部品１４１０は、１つのマイク（ＭＩＣ）を含み、装置１４００が操作モード、例えばコールモード、記録モードと音声識別モードにある場合、マイクが外部のオーディオ信号を受信するように構成される。受信されたオーディオ信号は、さらにメモリ１４０４に記憶されるまたは通信部品１４１６を介して送信されることができる。いくつかの実施形態において、オーディオ部品１４１０は、オーディオ信号を出力するためのスピーカーをさらに含む。
【０１３２】
Ｉ／Ｏインタフェース１４１２は、処理部品１４０２と周辺インタフェースモジュールの間にインタフェースを提供し、前記周辺インタフェースモジュールがキーボード、クリックホイール、ボタンなどであってよい。これらのボタンは、ホームボタン、音量ボタン、起動ボタンとロックボタンを含むことができるがこれらに限られない。
【０１３３】
センサ部品１４１４は、１つまたは複数のセンサを含み、装置１４００に各方面の状態評価を提供するように構成される。例えば、センサ部品１４１４は、装置１４００のオン／オフ状態、部品の相対的な位置決めを検出することができ、例えば前記部品が装置１４００の表示器とキーパッドであり、センサ部品１４１４は、さらに装置１４００または装置１４００の１つの部品の位置変化、ユーザと装置１４００の接触が存在するまたは存在しないこと、装置１４００の方位または加速／減速と装置１４００の温度変化を検出することができる。センサ部品１４１４は、いかなる物理的接触がない場合に付近の物体の存在を検出するように構成される近接センサを含むことができる。センサ部品１４１４は、イメージングアプリケーションに使用される光センサ、例えばＣＭＯＳまたはＣＣＤ画像センサをさらに含むことができる。いくつかの実施形態において、当該センサ部品１４１４は、加速度センサ、ジャイロセンサ、磁気センサ、圧力センサ、マイクロ波センサまたは温度センサをさらに含むことができる。
【０１３４】
通信部品１４１６は、装置１４００と他の装置の間の有線または無線通信を容易にするように構成される。装置１４００は、通信基準に基づく無線ネットワーク、例えばＷｉＦｉ、２Ｇまたは３Ｇ、またはそれらの組み合わせにアクセスすることができる。一つの例示的な実施形態において、通信部品１４１６は、放送チャネルを介して外部放送管理システムからの放送信号または放送関連情報を受信する。一つの例示的な実施形態において、前記通信部品１４１６は、さらに近接場通信（ＮＦＣ）モジュールを含んで、近距離通信を促進する。例えば、ＮＦＣモジュールにおいてＲＦ識別（ＲＦＩＤ）技術、赤外線データ協会（ＩｒＤＡ）技術、超広帯域（ＵＷＢ）技術、ブルートゥース（ＢＴ）技術と他の技術に基づいて実現することができる。
【０１３５】
例示的な実施形態において、装置１４００は、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子により実現されることができ、前記方法を実行するように構成される。
【０１３６】
例示的な実施形態において、命令を含む非一時的コンピュータ可読記憶媒体、例えば命令を含むメモリ１４０４が提供され、前記命令が装置１４００のプロセッサ１４２０によって実行されて前記方法を完了することができる。例えば、前記非一時的コンピュータ可読記憶媒体は、ＲＯＭ、ランダムアクセスメモリ（ＲＡＭ）、ＣＤ−ＲＯＭ、磁気テープ、フロッピーディスクと光データ記憶装置などであってよい。
【０１３７】
本分野の当業者は、明細書を考慮してここに開示される発明を実践した後に、容易に本開示の他の実施形態を考える。本開示は、本開示のいかなる変形、用途または適応性変化をカバーすることを意図し、これらの変形、用途または適応性変化が本開示の一般的な原理に従い且つ本開示に開示されない本技術分野における公知の常識または慣用技術手段を含む。明細書と実施形態は、ただ例示的なものだけと見なされ、本開示の真の範囲および精神が以下の特許請求の範囲によって示される。
【０１３８】
本開示は、以上に説明され且つ図面に示す正確な構造に限られなく、且つその範囲から逸脱しなくて各種類の変更と変化を行うことができると理解すべきである。本開示の範囲は、添付の特許請求の範囲のみによって限定される。
【産業上の利用可能性】
【０１３９】
本開示の実施形態によれば、端末装置がユーザ操作に応じてインタフェースを表示し、毎回ユーザが操作した後に表示されたインタフェース情報を記録することができ、ジャンプ命令を監視した場合、記録された毎回ユーザが操作した後に表示されたインタフェース情報に基づいて前の表示インタフェースにジャンプし、これにより端末装置がユーザの需要に応じて迅速に前の表示インタフェースにジャンプすることができ、操作が簡単で、便利であり、ユーザ体験を向上させる。
【０１４０】
本開示の実施形態によれば、端末装置がユーザが操作した後に表示されたインタフェースの滞在時間を取得することができ、表示インタフェースの滞在時間が予め設定された時間閾値を超えた場合、当該表示インタフェースのインタフェース情報を記録し、これにより端末装置がユーザが関心を持つ表示インタフェースのインタフェース情報のみを記録する必要があり、それによって端末の記憶リソースを節約し、さらにインタフェース表示の効率を向上させる。
【０１４１】
本開示の実施形態によれば、端末装置が第一のユーザ操作に応じて第一のインタフェースを表示し、ユーザの第一のインタフェースに対する第二のユーザ操作を受付けることができ、第二のユーザ操作に応じて第一のインタフェースのサブインタフェースを表示する場合、第一のインタフェースのインタフェース情報を記録し、これにより端末装置がユーザが関心を持つ表示インタフェースのインタフェース情報を記録でき、ユーザ体験を向上させる。
【０１４２】
本開示の実施形態によれば、端末装置が第一のジャンプタグを設定し、ユーザのジャンプ命令に応じて迅速に前の表示インタフェースにジャンプすることができ、インタフェース表示の効率を向上させる。
【０１４３】
本開示の実施形態によれば、端末装置が第二のジャンプタグを設定し、ユーザのジャンプ命令に応じて迅速にユーザより選択された表示インタフェースにジャンプすることができ、ユーザ体験を向上させる。
【０１４４】
本開示の実施形態によれば、端末装置が第三のジャンプタグを設定し、ユーザのジャンプ命令に応じて迅速に第一の表示インタフェースにジャンプすることができ、ユーザ体験を向上させる。
【図１】
0006345238.tif 000002
【図２】
0006345238.tif 000003
【図３】
0006345238.tif 000004
【図４】
0006345238.tif 000005
【図５】
0006345238.tif 000006
【図６】
0006345238.tif 000007
【図７】
0006345238.tif 000008
【図８】
0006345238.tif 000009
【図９】
0006345238.tif 000010
【図１０】
0006345238.tif 000011
【図１１】
0006345238.tif 000012
【図１２】
0006345238.tif 000013
【図１３】
0006345238.tif 000014
【図１４】
0006345238.tif 000015